(57)【要約】【課題】建築物壁面に装着が難しいフェライト板をアルミ押し出し型材を効果的に用いて、効率良く設置する工法を提供することである。【解決手段】アルミ押し出し型材の空隙部にフェライト板を挿入・装着させることで、フェライト板を容易にかつ正確に配置する。またアルミ押し出し型材に電波反射体の機能をもたせ、同時にアルミ押し出し型材前面に該型材の一部を利用して外装材を固定する。こうしてＴＶ電波吸収、電磁波遮断壁体を工場生産でおこない、建築現場にて簡易に装着することが可能となる。【選択図】  図１
2004353433.tif 000002
【特許請求の範囲】
【請求項１】
電波吸収材である複数のフェライト板と、該フェライト板を到来電波の磁界方向に連続して、かつ到来電波の電界方向に所定の間隔をあけて配置するフェライト板装着部材とを有する電波吸収パネルにおいて、前記フェライト板装着部材が、長手方向が到来電波の磁界方向となる複数のアルミ押し出し型材を到来電波の電界方向に並列配置してなり、各アルミ押し出し型材が前記フェライト板の一方主面に当接する平板部と、該平板部に立設しフェライト板の到来電波の電界方向両側端部にてフェライト板を保持するフェライト板保持部と、平板部の到来電波の電界方向両側端部に形成し並列するアルミ押し出し型材を互いに連結する接続部を有し、該接続部を介して各アルミ押し出し型材を電気的に接続して電波反射体を構成するとともに、前記フェライト板の位置決めを行うことを特徴とする電波吸収パネル。
【請求項２】
前記アルミ押し出し型材の接続部は、一方端部が略コ字型を形成し、他方端部が略Ｌ字型を形成するとともに、並列する一方のアルミ押し出し型材の略コ字型接続部に他方のアルミ押し出し型材の略Ｌ字型接続部が嵌合する構成からなる請求項１記載の電波吸収パネル。
【請求項３】
前記アルミ押し出し型材の接続部に外装材固定部を一体的に形成した請求項１及び請求項２記載の電波吸収パネル。
【請求項４】
前記フェライト板装着部材のフェライト板装着面と反対側の面にフェライト板装着部支持部材を配置した請求項１から請求項３記載の電波吸収パネル。
【請求項５】
前記フェライト板装着部材のフェライト板装着面と反対側の面にＰＣ板を配置した請求項１から請求項３記載の電波吸収パネル。
【請求項６】
前記アルミ押し出し型材の外装材固定部を介して外装材を配置した請求項３記載の電波吸収パネル。
【請求項７】
複数を到来電波の電界方向に並列配置することにより電波吸収パネルを構成する電波吸収パネル用ユニットであり、長手方向が到来電波の磁界方向となるアルミ押し出し型材と、該アルミ押し出し型材に装着されるフェライト板からなり、前記アルミ押し出し型材が、前記フェライト板の一方主面に当接する平板部と、該平板部に立設しフェライト板の到来電波の電界方向両側端部にてフェライト板を保持するフェライト板保持部と、平板部の到来電波の電界方向両側端部に形成し並列するアルミ押し出し型材を互いに連結する接続部を有することを特徴とする電波吸収パネル用ユニット。
【発明の詳細な説明】
【０００１】
【発明の属する技術分野】
本発明は、電波吸収パネルに関し、組立作業が容易であり、特に電波吸収材である複数のフェライト板を要求される位置に容易にかつ正確に配置できるとともに、軽量化を可能とした電波吸収パネルに関する。
【０００２】
【従来の技術】
都市部に高層、超高層ビルが建築されるとＴＶ電波がこれらの建物に当たり反射し、周辺の住居群のテレビ画面にゴーストを発生する等の電波障害をもたらす。これらの電波障害防止手段として高層ビルの壁面に電波吸収材を装着した所謂電波吸収パネルを配置する手段が採用されている。ここで高層ビルの壁面に装着されるＴＶ電波吸収材はフェライト板である。該フェライト板は、通常、厚さが４〜１５ｍｍ程度で、幅１００ｍｍ×長さ１００ｍｍ、幅５０ｍｍ×長さ１００ｍｍ、幅５０ｍｍ×長さ１５０ｍｍのような寸法からなり、これらフェライト板の複数を電波反射体となる金属板上に到来電波の磁界方向に連続して、かつ到来電波の電界方向に所定の間隔をあけて配置することで電波吸収パネルを構成し、ＴＶ電波吸収を行っている。また、高速道路などで発生する電磁波を遮断するために複数のフェライト板と金属板とを一体化した電磁波遮断パネルが知られているが、実質的に上記電波吸収パネルと同様な構成からなる。
【０００３】
例えば、高層ビルの窓ガラスを透過して入射するＴＶ電波による電波障害を防止するためには、窓ガラスとビル壁面内に存在する梁等の電波反射体との間にバックボードとして電波吸収パネルを配置した所謂ガラスカーテンウォールが採用されている。このようなガラスカーテンウォール用電波吸収パネルとして、亜鉛メッキ鋼板からなる一対の電波反射体の間にフェノール樹脂発泡体からなる発泡樹脂板を配置してなる電波反射層を構成し、該電波反射層上に到来電波の電界方向に所定の間隔をあけてフェライト板を接着固定するとともに、互いのフェライト板間に形成される隙間にケイ酸カルシウムからなる間隔部材を、またフェライト板表面にケイ酸カルシウムからなる外装材を接着固定した構成が下記特許文献１にて提案されている。この構成によれば、電波反射層の一部にフェノール樹脂発泡体からなる発泡樹脂板を用いることから、電波吸収パネルの軽量化を実現することができる。
【０００４】
他の電波吸収パネルとして、アルミニウム押し出し型材からなる金属枠材を組み立てたパネルフレームの外面に電波反射体となる金属板を固定し、該金属板上にアルミニウム押し出し型材からなる断面略Ｌ字型レール状金物と断面略Ｔ字型レール状金物を所定間隔を形成して取り付け、互いのレール状金物間にフェライト板を配置するとともに、該レール状金物の端縁部にて石板、ガラス板等からなる外装材を挟持固定した構成が下記特許文献２にて提案されている。この構成によれば、予め金属板上に配置されたレール状金物間にフェライト板を容易に配置することができ、組立効率を向上させるとともに、フェライト板の位置決めを正確に行うことができる。
【０００５】
また、プレキャストコンクリート一体型電波吸収パネルとして、鉄、ステンレス等の導体金属からなりフェライト押さえ部を有する金属ジャケットにフェライト板を挿入し、該金属ジャケットを到来電波の電界方向に間隔をあけて配置するとともに、各金属ジャケットの背面側にコンクリート補強用鉄筋を配設して各金属ジャケット間及び金属ジャケット背面側にコンクリートを打設して一体化した構成が下記特許文献３にて提案されている。なお、上記各金属ジャケットは、該金属ジャケットの一部に形成されたシヤコネクター部を介して電気的に接続され、電波反射体の機能を有する。この構成によれば、金属ジャケット自体が電波反射体の機能を有することから、新たに金属板等からなる電波反射体を設ける必要がなく、金属ジャケットに形成されるフェライト押さえ部によって、フェライト板を容易に配置することができ、組立効率を向上させることができる。
【０００６】
【特許文献１】
特開２００２−２６５６６号公報
【特許文献２】
特開平８−３２２７７号公報
【特許文献３】
特開平９−４０９９号公報
【０００７】
【発明が解決しようとする課題】
以上のように、電波吸収パネルには種々の構成が提案されているが、いずれの構成においても電波吸収材であるフェライト板自身が非常に重い材料であることや焼成材であるので自由にその形を変形できないことなどから外壁への装着が非常に難しく取り付け工法のバリエーションが少ないことが問題となっている。特に、電波吸収パネル全体の軽量化に対する要求は非常に強い。また、フェライト板だけでは所望の電波吸収特性は得られずフェライト板の背面側直近に亜鉛メッキ鋼板のような金属板やアルミ箔のような金属薄板、反射筋と呼ばれる金属メッシュ等の電波反射体の配設が必要となる。これらの配設は電波吸収パネルの部品点数を増やし製造工程を複雑とし、製造コストの高騰を招く。したがって、部品点数の低減も強く望まれている。さらに、フェライト板の位置は電波吸収特性に大きく影響するとともに、一枚の電波吸収パネルに配置される数量も非常に多いため、これらフェライト板を容易にかつ正確に位置決めできる構成が望まれている。
【０００８】
先の特許文献１にて提案された電波吸収パネルは、電波反射層の軽量化は実現できるものの、各フェライト板間にケイ酸カルシウムからなる間隔部材を配置する構成であるから、必ずしも要求される軽量化を満足させるものではなく、また、亜鉛メッキ鋼板からなる電波反射体を必要とし部品点数低減の観点、フェライト板の配置構成等の観点からも望ましい構成とは言いがたい。
【０００９】
先の特許文献２にて提案された電波吸収パネルは、複数のアルミ押し出し型材を効果的に配置することにより、フェライト板を容易にかつ正確に位置決めできるとともに、電波吸収パネルの軽量化が実現できるものの、電波反射体となる金属板を含め部品点数が多く、製造工程が複雑となる問題点を有している。
【００１０】
先の特許文献３にて提案された電波吸収パネルは、フェライト板の押さえ部を有する金属ジャケットを効果的に配置することにより、フェライト板を容易に配置でき、電波反射体を不要とする効果を有するものの、各々金属ジャケット間及び金属ジャケット背面側にコンクリートを打設する構成であり、特にフェライト板の到来電波の電界方向に関する位置精度は正確とは言いがたく、また、コンクリート打設による製造工程の複雑さ等が問題となっている。
【００１１】
すなわち、上記いずれの構成も電波吸収パネルに要求される構成を満足するものではなく、一層の改良が望まれているのが現状である。
【００１２】
この発明は、上記現状に鑑み提案するもので、主たる目的は、極力部品点数を少なくして製造工程を簡易とし、特に電波吸収材であるフェライト板を要求される位置に容易にかつ正確に配置できるとともに、軽量化を可能とする構成からなる電波吸収パネルを提供することである。また、容易に高層ビルの外壁に装着でき、工場生産品として製造可能な構成からなる電波吸収パネルを提供することである。さらに、ガラスカーテンウォール用の電波吸収パネルとして有効であり、その他ＴＶ電波吸収用や電磁波遮断用の独立壁としても使用できる電波吸収パネルを提供することである。
【００１３】
【課題を解決するための手段】
本発明者らは、上記の目的を達成するために鋭意検討を重ねた結果、電波吸収パネルを構成するフェライト板装着部材としてアルミ押し出し型材を用いることに着目し、該アルミ押し出し型材を用いれば、（１）アルミ押し出し型材が比較的複雑な断面形状を有しても一体的に形成可能なことから部品点数の大幅な低減が可能になり、製造工程を簡易とすることができること、（２）フェライト板を所定位置に容易に装着できるとともに、設計ピッチどうりの正確な位置決めができること、（３）このアルミ押し出し型材が電波反射体の機能を有すること、（４）アルミ押し出し型材に表面仕上げ化粧板等の外装材を容易を固定できること等を見出し、本発明を完成するに至った。
【００１４】
すなわち、請求項１に記載の電波吸収パネルは、電波吸収材である複数のフェライト板と、該フェライト板を到来電波の磁界方向に連続して、かつ到来電波の電界方向に所定の間隔をあけて配置するフェライト板装着部材とを有する電波吸収パネルにおいて、前記フェライト板装着部材が、長手方向が到来電波の磁界方向となる複数のアルミ押し出し型材を到来電波の電界方向に並列配置してなり、各アルミ押し出し型材が前記フェライト板の一方主面に当接する平板部と、該平板部に立設しフェライト板の到来電波の電界方向両側端部にてフェライト板を保持するフェライト板保持部と、平板部の到来電波の電界方向両側端部に形成し並列するアルミ押し出し型材を互いに連結する接続部を有し、該接続部を介して各アルミ押し出し型材を相互に電気的に接続して電波反射体を構成するとともに、前記フェライト板の位置決めを行うことを特徴とする。
【００１５】
請求項１に記載の電波吸収パネルは、平板部、フェライト板保持部、接続部を一体的に形成したアルミ押し出し型材にて構成するフェライト板装着部材にフェライト板を配置する構成であることから、部品点数の低減が可能となり、さらに前記接続部を介して電気的に接続することで電波反射体機能を有することから、新たな電波反射体の配置を不要とし、製造工程を簡易とし組立作業が非常に容易となる長所を有する。特に、並列配置するアルミ押し出し型材が前記接続部を介して正確に連結されることから、必然的にフェライト板も設計した間隔で正確に配列される。また、前記アルミ押し出し型材に形成される平板部とフェライト板保持部がフェライト板挿入時の案内部材として機能し、容易にかつ正確なフェライト板の配置を実現することができる。
【００１６】
請求項２に記載の電波吸収パネルは、請求項１記載の電波吸収パネルにおいて、前記アルミ押し出し型材の接続部は、一方端部が略コ字型を形成し、他方端部が略Ｌ字型を形成するとともに、並列する一方のアルミ押し出し型材の略コ字型接続部に他方のアルミ押し出し型材の略Ｌ字型接続部が嵌合する構成からなることを特徴とする。
【００１７】
請求項２に記載の電波吸収パネルは、アルミ押し出し型材の接続部を略コ字型及び略Ｌ字型に形成することで、並列するアルミ押し出し型材を所定間隔で容易にかつ正確に連結することができる。すなわち、並列する一方のアルミ押し出し型材の略コ字型接続部に他方のアルミ押し出し型材の略Ｌ字型接続部に挿入するだけで一体化できる。予め各接続部の到来電波の電界方向寸法を所定寸法にしておけば互いの接続部同士を当接することで必然的に該アルミ押し出し型材に配置されるフェライト板の位置が決定される。また、各接続部において良好な電気的接触が確保でき、電波反射体としての機能を確実に発現できる。さらに、略コ字型接続部内での略Ｌ字型接続部の移動自由度が制限されることによって、各アルミ押し出し型材のガタツキを防止することができる。なお、後述の実施例で説明するように、一方のアルミ押し出し型材を該型材の略コ字型接続部に形成された貫通孔を介して予めフェライト板装着部支持部材に所定ピッチで形成されたねじ孔にねじ止め固定した後、該略コ字型接続部に他方アルミ押し出し型材の略Ｌ字型接続部を挿入し、嵌合する構成においても同様な効果を得ることができる。
【００１８】
請求項３に記載の電波吸収パネルは、請求項１及び請求項２記載の電波吸収パネルにおいて、前記アルミ押し出し型材の接続部に外装材固定部を一体的に形成したことを特徴とする。
【００１９】
請求項３に記載の電波吸収パネルは、アルミ押し出し型材の接続部にさらに外装材固定部を一体的に形成する構成で、アルミ押し出し型材の断面形状の複雑さや機械的強度等を考慮すると、後述の実施例で説明するように、略コ字型接続部に一体的に形成することが望ましい。その形状は外装材の取り付け方法等に応じて適宜選定するが、通常、実施例で説明するように外装材固定部先端が平面となるような略Ｌ字型に形成することが望ましい。また、外装材固定部先端のフェライト板表面より突出する量を選定することで、外装材とフェライト板表面との距離を一定に維持することが可能となる。この発明の電波吸収パネルにおいては、外装材の配置を必須要件としないが、前記外装材固定部を予め形成しておくことで、必要に応じて外装材の配置を容易に実現できる長所を有する。
【００２０】
請求項４に記載の電波吸収パネルは、請求項１から請求項３記載の電波吸収パネルにおいて、前記フェライト板装着部材のフェライト板装着面と反対側の面にフェライト板装着部支持部材を配置したことを特徴とする。
【００２１】
請求項４に記載の電波吸収パネルは、フェライト板装着部材のフェライト板装着面と反対側の面にスチールアングルや矩形断面のアルミ押し出し型材等からなるフェライト板装着部支持部材を配置することで、電波吸収パネル全体の剛性を向上することができる。
【００２２】
請求項５に記載の電波吸収パネルは、請求項１から請求項３記載の電波吸収パネルにおいて、前記フェライト板装着部材のフェライト板装着面と反対側の面にＰＣ板を配置したことを特徴とする。
【００２３】
請求項５に記載の電波吸収パネルは、フェライト板装着部材のフェライト板装着面と反対側の面にＰＣ（プレキャストコンクリート）板を配置することで、従来のプレキャストコンクリート一体型電波吸収パネルと同様な電波吸収特性を実現することができる。特に、予めＰＣ板のみを所定形状にて形成し、この発明のフェライト板装着部材を配置する構成においては、従来のようなコンクリート打設作業時にフェライト板の配置固定をすることに比べ、組立作業性が向上するだけでなく、フェライト板の位置決め精度も向上する長所を有する。特に、電波吸収パネルとＰＣ板を各々個別に製作することが可能なため、工業生産規模での量産性にも優れる。
【００２４】
請求項６に記載の電波吸収パネルは、請求項３記載の電波吸収パネルにおいて前記アルミ押し出し型材の外装材固定部を介して外装材を配置したことを特徴とする。
【００２５】
請求項６に記載の電波吸収パネルは、請求項３に記載する外装材固定部を介して外装材を配置した構成であり、この発明のアルミ押し出し型材を用いた特徴を一層効果的に活用するものである。すなわち、アルミ押し出し型材に一体的に形成される外装材固定部の形状・寸法等を予め外装材の形状・寸法等に合わせて選定することで、外装材を容易に固定できる。また、外装材固定部先端のフェライト板表面より突出する量を選定することで、外装材とフェライト板表面との距離を一定に維持することが可能となる。前記外装材固定部を介さず直接フェライト板表面に塗料、樹脂、モルタル等を塗装したり、吹き付け材を付加したり、外装タイル、外装石材等を接着剤にて接着固定することも可能であるが、請求項６に記載の構成であれば、フェライト板からの外装材着脱も容易であり、この発明の電波吸収パネルの設置条件等に応じて、外装材配置適否に対応することが可能となる。
【００２６】
請求項７に記載の電波吸収パネル用ユニットは、複数を到来電波の電界方向に並列配置することにより電波吸収パネルを構成する電波吸収パネル用ユニットであり、長手方向が到来電波の磁界方向となるアルミ押し出し型材と、該アルミ押し出し型材に装着されるフェライト板からなり、前記アルミ押し出し型材が、前記フェライト板の一方主面に当接する平板部と、該平板部に立設しフェライト板の到来電波の電界方向両側端部にてフェライト板を保持するフェライト板保持部と、平板部の到来電波の電界方向両側端部に形成し並列するアルミ押し出し型材を互いに連結する接続部を有することを特徴とする。
【００２７】
請求項７に記載の電波吸収パネル用ユニットは、電波吸収パネルを構成する一部品であり、予め電波吸収パネルとして組み立てた後に建築現場に搬入することなく、このユニットの状態で搬入しその場で組み立てることで容易に電波吸収パネルとすることが可能であることから、搬送、組立作業等を含め取り扱い性に優れる長所を有する。
【００２８】
この発明において、アルミ押し出し型材とは、アルミニウム、アルミニウム合金等を用い押し出し成型法にて成型した材料であり、材質は要求される機械的特性等に応じて選定すればよい。なお、形状は後述する実施例に限定されるものではなく、フェライト板の形状・寸法や、各々アルミ押し出し型材同志の連結構造、ＰＣ板等との一体化構造等に応じて選定される。
【００２９】
【発明の実施の形態】
以下、この発明のアルミ押し出し型材を用いた電波吸収パネルの実施の形態を示す図面を参照して具体的に説明する。
【００３０】
図１、図２及び図３は、この発明の一実施形態である電波吸収パネルを構成する一部、すなわち電波吸収パネル用ユニットを示す斜視図及び縦断面図である。図１において、１はフェライト板装着部材を構成するアルミ押し出し型材である。このアルミ押し出し型材１の長手方向（到来電波の磁界方向）の寸法は、ビル壁面の寸法等によって選定されるが、６ｍ近くまで製造することができる。この型材１には、フェライト板１０の一方主面に当接する平板部２と該平板部２に立設しフェライト板１０の到来電波の電界方向両側端部にてフェライト板１０を保持するフェライト板保持部３、３とによって空隙４が形成される。該空隙４内に複数のフェライト板１０を端部から内部に向けて順次挿入、装着する。この際、前記平板部２及び保持部３、３がフェライト板１０の挿入案内部材として機能し、各フェライト板１０の到来電波の磁界方向のゆがみ発生が防止でき容易にかつ正確に位置決めが行える。なお、フェライト板１０のガタツキを防止するために型材１側に接着剤を塗布し固着してもよい。
【００３１】
図１の構成においてフェライト板保持部３、３は略Ｌ字型の形状を有し、先端部でフェライト板を抱持するが、該保持部３、３の形状はフェライト板１０の形状、寸法、重量等に応じて種々選定することができる。例えば、図２に示すフェライト板保持部３、３は、台形断面のフェライト板１０への適用に有効な形状であり、開放端に向かって開口寸法を狭めたテーパー形状からなる。図３に示すフェライト板保持部３、３は、先端部にフェライト板固定引っ掛け部を形成した構成であり、図３（ａ）は矩形断面のフェライト板１０の表面部と側面部、図３（ｂ）は表面部に当接する固定引っ掛け部を形成している。図３に示す構成では、フェライト板１０の一部に当接するだけであるが、フェライト板保持部３、３が本来的に有する弾性力を利用して、フェライト板１０を所定位置に容易にかつ正確に配置することができる。
【００３２】
また、図中５は接続部であり、前記平板部２の到来電波の電界方向両側端部にて並列するアルミ押し出し型材１、１を互いに連結する構成からなる。図４に示すように該接続部５を介して各アルミ押し出し型材１、１を互いに電気的に接続して電波反射体を構成するとともに、前記フェライト板１０の位置決めを行うことができる。接続部５は、平板部２の到来電波の電界方向一方端部に形成された略コ字型部６と、他方端部に形成された略Ｌ字型部７からなる。図４では、一方のアルミ押し出し型材１を該型材１の略コ字型接続部６に形成された貫通孔を介してねじ１１にて予めフェライト板装着部支持部材（図示せず）に所定ピッチで形成されたねじ孔に固定した後、該略コ字型接続部６に他方アルミ押し出し型材１の略Ｌ字型接続部７を挿入・嵌合して連結する。この作業を繰り返すことによって、フェライト板装着部支持部材（図示せず）上に複数のアルミ押し出し型材１を並列配置し電波吸収パネルを構成する。
【００３３】
図４の構成では、予めフェライト板装着部支持部材（図示せず）に形成するねじ孔の到来電波の電界方向ピッチを正確に設けておくことで、該ねじ孔を介してアルミ押し出し型材１を上記ねじ１１により固定するだけで、必然的に該アルミ押し出し型材１に装着されるフェライト板１０の到来電波の電界方向ピッチ（図中Ｐ）を正確に確保することができる。また、予め各接続部５の到来電波の電界方向寸法を所定寸法に定め、互いの接続部同士を当接する構成でも同様な効果が得られる。すなわち、図４の構成では、フェライト板の電界方向ピッチがフェライト板装着部支持部材に形成されるねじ孔のピッチに依存するため、略コ字型接続部の内側底部と略Ｌ字型接続部の先端部との間に若干の隙間が形成されているが、略コ字型接続部に形成されるねじ１１の貫通孔を、到来電波の電界方向に自由度を有する長孔とし、前記略コ字型接続部の内側底部に略Ｌ字型接続部の先端部を当接するように配置した後ねじ１１にて略コ字型接続部を固定したり、略Ｌ字型接続部にも上記と同様なねじ貫通用長孔を設け、ねじ１１にて略コ字型接続部、略Ｌ字型接続部を一体的に固定することができる。該構成においては、フェライト板の電界方向ピッチが接続部の寸法に依存することとなる。
【００３４】
さらに、接続部５はアルミ押し出し型材１の長手方向全域に形成されるので、並列する各アルミ押し出し型材１、１の長手方向全域にて電気的に接触するため、電波反射体としての機能を確実に発現できる。さらにまた、略コ字型接続部６内での略Ｌ字型接続部７の移動自由度が制限されることによって、各アルミ押し出し型材１、１のガタツキを防止することができる。以上のような効果を有する接続部５の形成は、この発明の大きな特徴の一つである。該接続部５の構成は図示の構成に限定されることなく、各アルミ押し出し型材１、１の連結を容易に行え、互いの電気的接触、位置決めが確保できる構成であればよく、例えば、略コ字型接続部同士の噛み合わせ構成、略Ｌ字型接続部同士の噛み合わせ構成、凹型接続部と凸型接続部の嵌合構成等、種々の構成を採用できる。
【００３５】
図中８は、前記アルミ押し出し型材１の略コ字型接続部６に一体的に形成される外装材固定部である。図中９は、前記アルミ押し出し型材１の平板部２のフェライト板１０装着面と反対側の面に一体的に形成されるフェライト板１０とフェライト板装着部支持部材との間隙を一定に保持するための間隔保持部である。これらの機能については、後述する他の実施態様に基づいて詳細に説明する。
【００３６】
図５は、この発明の複数のアルミ押し出し型材をスチールアングルから構成されるフェライト板装着部支持部材に並列配置した構成からなる電波吸収パネルを示す他の実施態様である。図５（ａ）は横断面図、図５（ｂ）は縦断面図である。図中１２は、スチールアングルから構成されるフェライト板装着部支持部材である。該フェライト板装着部支持部材１２とアルミ押し出し型材１とは前記図４に基づく説明のようにしてねじ１１によって固定される。この際、フェライト板装着部支持部材１２とフェライト板１０を装着するアルミ押し出し型材１の平板部２とは該平板部２の裏面に形成される間隔保持部９と略コ字型接続部６のフェライト板装着部支持部材１２との当接部によって所定の間隙を形成する。すなわち、フェライト板１０とフェライト板装着部支持部材１２との間隙を一定に保持する構成となる。この構成によって、フェライト板装着部支持部材１２表面全体にアルミ押し出し型材１の裏面全体が接触する構成よりも、フェライト板装着部支持部材１２表面の凹凸等の影響を受けにくく、電波吸収パネル全体のガタツキ防止が可能となる。図中１４は、ケイ酸カルシウム板からなる外装材であり、略コ字型接続部６に一体的に形成された先端が平面となる略Ｌ字型の外装材固定部にねじ１３によって固定される。図中１５は、略コ字型アルミ押し出し型材からなる周辺枠部材であり、フェライト板を装着するアルミ押し出し型材１、スチールアングルからなるフェライト板装着部支持部材１２及びケイ酸カルシウム板からなる外装材１４を一体化して固定する。
【００３７】
フェライト板装着部支持部材１２を配置することによって、電波吸収パネル全体の剛性を確保することができ、上記周辺枠部材１５の配置によって、電波吸収パネル全体の剛性を一層向上することができる。フェライト板装着部支持部材１２としては、上記スチールアングルの他、矩形断面からなるアルミ押し出し型材を複数組み合わせた構成、ケイ酸カルシウム板等の耐火パネルからなる構成等、電波吸収パネル全体の剛性を確保する構成を有するものであればよく、高層ビル壁面との取り付け構成、使用条件等に応じて選定することが望ましい。周辺枠部材１５の配置についても同様である。
【００３８】
上記構成では、ケイ酸カルシウム板からなる外装材を配置した構成を示したが、外装材配置の目的に応じて適正な材料を選定することが望ましい。
【００３９】
図６及び図７は、この発明の電波吸収パネルをガラスカーテンウォールのバックボードに使用した構成を示す一実施態様である。図６は、ガラスカーテンウォール建物外壁腰部に対応する位置にこの発明の電波吸収パネルを配置した構成、図７は、ガラスカーテンウォール建物外壁腰部と下階梁部を含む対応位置にこの発明の電波吸収パネルを配置した構成を示す縦断面図である。
【００４０】
いずれもフェライト板１０をアルミ押し出し型材１からなるフェライト板装着部材に配置してなる一体品１６（図４参照：図６及び図７においては詳細構造を省略）の背面側にはケイ酸カルシウム板からなる耐火パネル１７をフェライト板装着部支持部材１２として配置し、表面側にはケイ酸カルシウム板からなる外装材１４として配置した構成を採用している。なお、図中１８はガラス板である。
【００４１】
図８は、この発明のＰＣ板と一体化した構成からなる電波吸収パネルの一実施態様を示すもので、図８（ａ）は横断面図、図８（ｂ）は縦断面図である。フェライト板をアルミ押し出し型材からなるフェライト板装着部材に配置してなる一体品１６（図４参照）の背面側にＰＣ板打設用アルミ特殊押し出し型材１９を配置し、この特殊押し出し型材１９を介してコンクリートを打設し、結果としてＰＣ板表面部分に前記フェライト板を装着した一体品１６を打設固定する構成からなる。図中２０は特殊押し出し型材１９内に形成された前記一体品１６の配置部である。この構造においては、ＰＣ板が図５に示すスチールアングルからなるフェライト板装着部支持部材１２と同様な機能を有することから強い剛性を得ることができる。なお、予めＰＣ板のみを所定形状にて形成し、別個に製造した前記一体品１６を配置すればコンクリート打設作業時にフェライト板の配置固定をすることに比べ、組立作業性が大幅に向上する。特に、前記一体品１６とＰＣ板を各々個別に製作することが可能なため、工業生産規模での量産性にも優れる。なお、前記一体品１６とＰＣ板との固定方法は予めＰＣ板にねじ孔を設けて直接ねじ止めしたり、一体品１６とＰＣ板との間に互いの取り付け部材を介在させて固定する等、種々の構成が採用できる。なお、図５に示す構造と同様に工場での生産が可能であり、いずれもフェライト板装着部支持部材及びＰＣ板の構造的計算をおこなえば大きさは自由に選定でき、コスト削減、工期短縮、充分な電波吸収特性確保が計れる。
【００４２】
【発明の効果】
この発明のアルミ押し出し型材を効果的に用いた電波吸収パネルは部品点数が少なく電波吸収材であるフェライト板の装着が極めて容易でかつ正確に行えることから軽量化、電波吸収特性向上を達成できるとともに製造工程が簡単となり、建築工事上、多大な効果を有する。
【図面の簡単な説明】
【図１】この発明の電波吸収パネル用ユニットを構成するアルミ押し出し型材へのフェライト板の装着工程を示す概念斜視図である。
【図２】この発明の電波吸収パネル用ユニットを構成するアルミ押し出し型材のフェライト板保持部にテーパーを形成した構成の縦断面図である。
【図３】この発明の電波吸収パネル用ユニットを構成するアルミ押し出し型材のフェライト板保持部に固定引っ掛け部を形成した構成の縦断面図である。
【図４】この発明の電波吸収パネル用ユニットを構成するアルミ押し出し型材を相互に連結して電波吸収パネルを構成した場合の縦断面図である。
【図５】この発明の電波吸収パネルの一実施形態を示す横断面図及び縦断面図である。
【図６】この発明の電波吸収パネルをガラスカーテンウォール建物外壁腰部に対応させて配置した縦断面図である。
【図７】この発明の電波吸収パネルをガラスカーテンウォール建物外壁腰部及び下階梁部に対応させて配置した縦断面図である。
【図８】この発明のフェライト板装着部をＰＣ板表面部分に打設一体化させた構成からなる電波吸収パネルの構成を示す横断面図及び縦断面図である。
【符号の説明】
１．  アルミ押し出し型材
２．  平板部
３．  フェライト板保持部
４．  フェライト板挿入空隙
５．  接続部
６．  略コ字型接続部
７．  略Ｌ字型接続部
８．  外装材固定部
９．  間隔保持部
１０．フェライト板
１１．ねじ
１２．スチールアングル
１３．ねじ
１４．外装材
１５．周辺固定枠
１６．フェライト板を装着部材に配置してなる一体品
１７．耐火パネル
１８．ガラス板
１９．ＰＣ板打設用アルミ特殊押し出し型材
２０．一体品配置部
【図１】
2004353433.tif 000003
【図２】
2004353433.tif 000004
【図３】
2004353433.tif 000005
【図４】
2004353433.tif 000006
【図５】
2004353433.tif 000007
【図６】
2004353433.tif 000008
【図７】
2004353433.tif 000009
【図８】
2004353433.tif 000010